(57)【特許請求の範囲】
【請求項１】
浴槽と洗い場とが互いに並べて設置され周囲を壁面で囲まれてなる浴室であって、
把持可能な太さを有し前記浴槽の前記洗い場の側のリムの上方に上下方向に立設された管と、
前記管の途中に設けられ、前記浴槽側及び前記洗い場側の両方に吐水可能となるようにシャワーヘッドを保持可能なシャワーフックと、
を備え、
前記管は、前記シャワーヘッドに接続されたシャワーホースを挿通可能な中空部を内部に有する中空管とされてなり、
前記シャワーフックは、前記シャワーホースを前記中空部に挿通した状態で前記シャワーヘッドを保持可能な第１のシャワーフックを有し、
前記第１のシャワーフックから前記シャワーヘッドが引き出されると前記シャワーホースが前記中空部から繰り出し可能とされてなることを特徴とする浴室。
【請求項２】
前記第１のシャワーフックは、前記中空管の途中に設けられた開口部を有し、前記シャワーヘッドを前記開口部に装着可能とされてなることを特徴とする請求項１記載の浴室。
【請求項３】
前記第１のシャワーフックは、前記管が途中で前記上下方向に対して横方向へ分岐した分岐部を有し、
前記開口部は、前記分岐部の先端に設けられたことを特徴とする請求項２記載の浴室。
【請求項４】
前記分岐部の外形の太さは、前記シャワーヘッドの外形の太さと同一であることを特徴とする請求項３記載の浴室。
【請求項５】
前記シャワーフックは、前記開口部よりも上方における前記管に設けられ、前記シャワーヘッドを保持可能とし前記上下方向に移動可能な第２のシャワーフックをさらに有することを特徴とする請求項２〜４のいずれか１つに記載の浴室。
【請求項６】
前記リムの下方に設けられて前記シャワーホースの基端部と接続され、前記シャワーホースへ供給する水の給水量および温度の少なくともいずれかを調整する水栓装置と、
前記浴槽と前記洗い場とのあいだに設けられ前記浴槽の側面を覆うエプロンと、
をさらに備え、
前記管は、前記リムの上面に立設され、
前記シャワーホースの余剰部分を収納する収納部が前記エプロンからみて前記洗い場の側とは反対側に形成されたことを特徴とする請求項１記載の浴室。
【請求項７】
前記管および前記水栓装置が設置された前記リムの部位の長手方向の両側における前記リムの部位の幅は、前記管および前記水栓装置が設置された前記リムの部位の幅よりも短いことを特徴とする請求項６記載の浴室。
【発明の詳細な説明】
【技術分野】
【０００１】
本発明の態様は、一般的に、浴室に関する。
【背景技術】
【０００２】
浴室の使用者は、洗い場と浴槽との間を移動する際に、あるいは洗い場や浴槽内で座っている状態から立ち上がる際に、浴室や浴槽に設けられた手摺を利用することが多い。しかし、一般的な浴室では、浴室の壁面や浴槽の内部に手摺が設置されているため、複数の箇所に手摺を設置する必要がある。そのため、コストアップにつながったり、浴室内が雑然とした感じになるという問題がある。また、手摺が浴室の壁面に設置されている場合には、壁面の掃除が煩雑となったり、壁面の掃除を行い難いという問題がある。
【０００３】
これに対して、浴槽の長手方向の中央部に上下に延びる縦手摺が配置された浴室がある（特許文献１）。また、浴室の洗い場に洗い場の床から細長く起立する形態のタワー式水栓装置が設置された浴室内設備がある（特許文献２）。特許文献２に記載されたタワー式水栓装置におけるタワー本体は、少なくとも一部が手摺りとして構成してある。
【０００４】
しかし、特許文献１には、シャワーについての開示がない。また、特許文献２に記載された浴室内設備では、手摺りが洗い場の中央に設置されている。そのため、浴槽と、手摺りおよびシャワーと、の距離が遠く、手摺りが洗い場と浴槽との間の移動行為の補助とはならない。また、シャワーホースが手摺りから露出しているため、使用者が手摺りを掴むときにシャワーホースが邪魔となるという問題がある。そのため、使用者が手摺りを掴み難いという問題がある。
【先行技術文献】
【特許文献】
【０００５】
【特許文献１】特開２００１−２９２９２３号公報
【特許文献２】特開２００２−５８６０９号公報
【発明の概要】
【発明が解決しようとする課題】
【０００６】
本発明は、かかる課題の認識に基づいてなされたものであり、様々なシーンに対応可能な手摺あるいはシャワー装置としても利用可能な手摺を備えた浴室を提供することを目的とする。
【課題を解決するための手段】
【０００７】
第１の発明は、浴槽と洗い場とが互いに並べて設置され周囲を壁面で囲まれてなる浴室であって、把持可能な太さを有し前記浴槽の前記洗い場の側のリムの上方に上下方向に立設された管と、前記管の途中に設けられ、前記浴槽側及び前記洗い場側の両方に吐水可能となるようにシャワーヘッドを保持可能なシャワーフックと、を備え、前記管は、前記シャワーヘッドに接続されたシャワーホースを挿通可能な中空部を内部に有する中空管とされてなり、前記シャワーフックは、前記シャワーホースを前記中空部に挿通した状態で前記シャワーヘッドを保持可能な第１のシャワーフックを有し、前記第１のシャワーフックから前記シャワーヘッドが引き出されると前記シャワーホースが前記中空部から繰り出し可能とされてなることを特徴とする浴室である。
【０００８】
この浴室によれば、シャワーヘッドを保持可能な管が浴槽の洗い場の側のリムの上方に立設されているため、使用者は、洗い場を広く使うことができる。そのため、使用者は、より広い空間においてシャワーを用いることで快適に身体を洗うことができる。また、使用者は、浴槽に漬かりながらシャワーを使用することもできる。
【０００９】
さらに、使用者は、洗い場と浴槽との間を移動する際に、あるいは洗い場や浴槽内で座っている状態から立ち上がる際に、管を手摺として利用することができる。このように、使用者は、様々なシーンにおいて管を手摺として利用することができる。そのため、浴室内に複数の手摺を設ける必要がなく、浴室内が雑然とした感じになることを抑えることができたり、コスト低減を図ることができる。
【００１１】
さらに、シャワーホースが中空部から管の内部へ挿通されているため、使用者は、シャワーホースを洗い場に垂らすことなく管の内部に収めることができる。そのため、浴室の見栄えをより良くすることができる。また、シャワーホースから滴る水が浴槽の中に落ちることを抑えることができる。そのため、使用者は、快適に浴槽に漬かることができる。
【００１２】
また、第２の発明は、第１の発明において、前記第１のシャワーフックは、前記中空管の途中に設けられた開口部を有し、前記シャワーヘッドを前記開口部に装着可能とされてなることを特徴とする浴室である。
【００１３】
この浴室によれば、第１のシャワーフックおよび管の内部にシャワーホースを完全に隠すことができるため、浴室のデザイン性を向上させることができる。
【００１４】
また、第３の発明は、第２の発明において、前記第１のシャワーフックは、前記管が途中で前記上下方向に対して横方向へ分岐した分岐部を有し、前記開口部は、前記分岐部の先端に設けられたことを特徴とする浴室である。
【００１５】
この浴室によれば、管が途中で横方向へ分岐された分岐部の先端に開口部が設けられているため、使用者は、シャワーヘッドを第１のシャワーフックに容易に装着することができる。また、使用者が手を掛けることができるような形状を分岐部が有する場合には、管の表面を加工しなくとも使用者の手が掛かる部位を管に形成することができる。
【００１６】
また、第４の発明は、第３の発明において、前記分岐部の外形の太さは、前記シャワーヘッドの外形の太さと同一であることを特徴とする浴室である。
【００１７】
この浴室によれば、分岐部の外形の太さがシャワーヘッドの外形の太さと同一であるため、浴室のデザイン性を向上させることができる。
【００１８】
また、第５の発明は、第２〜第４のいずれか１つの発明において、前記シャワーフックは、前記開口部よりも上方における前記管に設けられ、前記シャワーヘッドを保持可能とし前記上下方向に移動可能な第２のシャワーフックをさらに有することを特徴とする浴室である。
【００１９】
この浴室によれば、使用者は、シャワーヘッドを第２のシャワーフックに保持させることで、シャワーヘッドを好みの位置に固定してシャワーを使用し快適に身体を洗うことができる。
【００２０】
また、第６の発明は、第１の発明において、前記リムの下方に設けられて前記シャワーホースの基端部と接続され、前記シャワーホースへ供給する水の給水量および温度の少なくともいずれかを調整する水栓装置と、前記浴槽と前記洗い場とのあいだに設けられ前記浴槽の側面を覆うエプロンと、をさらに備え、前記管は、前記リムの上面に立設され、前記シャワーホースの余剰部分を収納する収納部が前記エプロンからみて前記洗い場の側とは反対側に形成されたことを特徴とする浴室である。
【００２１】
この浴室によれば、水栓装置とシャワーヘッドとの間の距離をより短くし、シャワーホースの長さをより短くすることができる。そのため、より早いうちにシャワーヘッドから適温の湯を吐水させることができる。また、シャワーホースをエプロンの裏側に隠すことができるため、シャワーホースが邪魔にならず、また浴室のデザイン性を向上させることができる。さらに、水栓装置の点検者は、エプロンを取り外すことで容易に水栓装置の点検を行うことができる。
【００２２】
また、第７の発明は、第６の発明において、前記管および前記水栓装置が設置された前記リムの部位の長手方向の両側における前記リムの部位の幅は、前記管および前記水栓装置が設置された前記リムの部位の幅よりも短いことを特徴とする浴室である。
【００２３】
この浴室によれば、浴槽に出入りするリムの部位の幅は、管および水栓装置が設置されたリムの部位の幅よりも短い。そのため、使用者は、浴槽への出入りを楽に行うことができる。
【発明の効果】
【００２４】
本発明の態様によれば、様々なシーンに対応可能な手摺あるいはシャワー装置としても利用可能な手摺を備えた浴室が提供される。
【図面の簡単な説明】
【００２５】
【図１】本発明の実施の形態にかかる浴室を表す斜視模式図である。
【図２】本実施形態の管およびシャワーヘッドを表す拡大模式図である。
【図３】本実施形態の管が手摺として使用される状態を説明する斜視模式図である。
【図４】本実施形態にかかる浴室を斜め上方から眺めた斜視模式図である。
【図５】本実施形態にかかる浴室を表す断面模式図である。
【図６】本実施形態にかかる浴室を表す断面模式図である。
【図７】本実施形態にかかる浴室を表す断面模式図である。
【図８】本実施形態にかかる浴室を表す断面模式図である。
【図９】シャワーホースが開口部から繰り出した状態を例示する斜視模式図である。
【図１０】本実施形態の第２のシャワーフックを拡大して眺めた斜視模式図である。
【図１１】本実施形態の第２のシャワーフックにシャワーヘッドが保持された状態を例示する斜視模式図である。
【図１２】本実施形態にかかる浴室を斜め上方から眺めた斜視模式図である。
【発明を実施するための形態】
【００２６】
以下、本発明の実施の形態について図面を参照しつつ説明する。なお、各図面中、同様の構成要素には同一の符号を付して詳細な説明は適宜省略する。  
図１は、本発明の実施の形態にかかる浴室を表す斜視模式図である。  
また、図２は、本実施形態の管およびシャワーヘッドを表す拡大模式図である。
【００２７】
本実施形態にかかる浴室１０は、浴槽１１０と、洗い場２１０と、第１の壁面４１０と、第２の壁面４２０と、第３の壁面４３０と、天井４４０と、を備える。浴槽１１０と洗い場２１０とは、互いに並べて設置されている。洗い場２１０と浴槽１１０との間には、エプロン１５０が設けられている。エプロン１５０は、浴槽１１０の側面を覆っている。つまり、エプロン１５０は、洗い場２１０と浴槽１１０との間に形成される開口を塞ぐように取り付けられている。
【００２８】
図２に表したように、浴槽１１０は、第１のリム１１１と、第２のリム１１２と、第３のリム１１３と、を有する。第１のリム１１１は、洗い場２１０の側に形成されている。第３のリム１１３は、洗い場２１０の側とは反対の側に形成されている。第２のリム１１２は、第１のリム１１１および第３のリム１１３に隣接し、第２の壁面４２０の側に形成されている。
【００２９】
第１の壁面４１０と、第２の壁面４２０と、第３の壁面４３０と、は、浴槽１１０および洗い場２１０の周囲に設置されている。具体的には、第１の壁面４１０は、浴槽１１０の洗い場２１０の側の側面と対向して設置されている。言い換えれば、第１の壁面４１０は、エプロン１５０と対向して設置されている。第３の壁面４３０は、第１の壁面４１０と対向して設置されている。第２の壁面４２０は、第１の壁面４１０および第３の壁面４３０と隣接し、浴槽１１０の第２のリム１１２に沿って設置されている。
【００３０】
本実施形態では、洗い場２１０と一体成形された床壁面が洗い場２１０の周囲に設けられている。すなわち、本実施形態では、第１の壁面４１０は、第１の床壁面２１１と、第１の床壁面２１１の上に立設された第１の浴室壁面４１１と、を有する。第２の壁面４２０は、第２の床壁面２１２と、第２の床壁面２１２の上に立設された第２の浴室壁面４２１と、を有する。但し、第１の壁面４１０および第２の壁面４２０の設置形態は、これだけに限定されるわけではない。例えば、第１の床壁面２１１および第２の床壁面２１２が設けられず、第１の壁面４１０（第１の浴室壁面４１１）および第２の壁面４２０（第２の浴室壁面４２１）が洗い場２１０の周縁部から上方へ立設されていてもよい。
【００３１】
また、第１のリム１１１の上方には、上下方向に立設された管３１０が設置されている。ここで、本願明細書においては、洗い場２１０に立ったあるいは座った使用者からみて上方を「上方」とし、洗い場２１０に立ったあるいは座った使用者からみて下方を「下方」とする。具体的には、管３１０の下端部は、第１のリム１１１の上面に接続され固定されている。一方、管３１０の上端部は、浴室１０の天井４４０に接続され固定されている。但し、管３１０の下端部は、第１のリム１１１の上面に固定されていることだけに限定されず、例えば第２の壁面４２０やエプロン１５０の裏側（洗い場２１０とは反対の側）に設けられた図示しない部材などに固定されていてもよい。
【００３２】
図１および図２に表したように、管３１０は、例えば縦長の柱形状を呈し、第１のリム１１１の上方において上下方向に延在している。なお、本願明細書において「上下方向」という範囲には、鉛直方向だけに限定されず、第１のリム１１１の上方において立設可能あるいは延在可能な程度の方向が含まれるものとする。
【００３３】
管３１０の途中すなわち管３１０の下端部と上端部との間には、第１のシャワーフック３２０が設けられている。図２に表したように、第１のシャワーフック３２０は、シャワーヘッド３３０を保持することができる。第１のシャワーフック３２０は、管３１０が途中で上下方向に対して横方向へ分岐した分岐部を有する。管３１０の外形の太さ（例えば外径）Ｄ１は、管３１０が分岐された部分（分岐部）すなわち第１のシャワーフック３２０がシャワーヘッド３３０を保持する部分の外形の太さ（例えば外径）Ｄ２と略同一である。また、管３１０の分岐部の外形の太さ（例えば外径）Ｄ２は、シャワーヘッド３３０の外形の太さ（例えば外径）Ｄ３と略同一である。このように、管３１０の外形の太さＤ１と、管３１０の分岐部の外形の太さＤ２と、シャワーヘッド３３０の外形の太さＤ３と、を略同一とすることで、本実施形態にかかる浴室１０のデザイン性を向上させることができる。
【００３４】
図１に表したように、第１のシャワーフック３２０よりも上方の管３１０には、第２のシャワーフック３４０が設けられている。第２のシャワーフック３４０は、第１のシャワーフック３２０と同様にシャワーヘッド３３０を保持することができ、管３１０に沿って上下方向に移動することができる。第２のシャワーフック３４０については、後に詳述する。
【００３５】
また、図１に表したように、浴槽１１０と第１の壁面４１０との間において、第２の壁面４２０の洗い場２１０の側に沿うように腰掛部（カウンタ）２５０が設けられている。使用者は、腰掛部２５０に腰掛けることができる。腰掛部２５０には、第１の支柱２６１と、第２の支柱２６３と、が取り付けられている。第１の支柱２６１および第２の支柱２６３は、例えば金属管などにより形成されている。第１の支柱２６１および第２の支柱２６３のそれぞれの一端部は、エプロン１５０の裏側において図示しない支持部材に固定されている。一方、第１の支柱２６１および第２の支柱２６３のそれぞれの他端部は、第１の壁面４１０に固定されている。これにより、腰掛部２５０は、洗い場２１０の上方に設けられている。そして、腰掛部２５０の上面は、浴槽１１０の第１のリム１１１、第２のリム１１２、および第３のリム１１３の上面と略同じ高さの位置に設けられている。
【００３６】
図２に表したように、第１のリム１１１の上面には、シャワー水栓用の操作部５１０が設置されている。操作部５１０は、給水量調整操作部５１１と、温度調整操作部５１３と、を有する。前述したように、腰掛部２５０の上面は、浴槽１１０の第１のリム１１１の上面と略同じ高さの位置に設けられている。そのため、操作部５１０は、腰掛部２５０と略同じ高さの位置に設けられている。そして、使用者は、腰掛部２５０に腰掛けた状態で操作部５１０を操作（使用）することができる。シャワーヘッド３３０は、シャワーヘッド３３０自身の軸を中心軸として回動可能である。そのため、腰掛部２５０に腰掛けた使用者は、シャワーヘッド３３０を第１のシャワーフック３２０に保持させた状態でシャワーヘッド３３０を適宜回動させることで、腰掛部２５０の側へ水を吐水させることができる。なお、本願明細書において「水」という場合には、冷水のみならず、加熱されたお湯も含むものとする。これにより、使用者は、腰掛部２５０に腰掛けた状態でシャワー浴を楽しむことができる。また、使用者は、シャワーヘッド３３０を手で持つ必要はないため、楽な姿勢で比較的長時間シャワー浴を楽しむことができる。  
なお、給水量や温度を調整する水栓装置については、後に詳述する。
【００３７】
図１に表したように、天井４４０には、オーバーヘッドシャワー３９０が設けられている。オーバーヘッドシャワー３９０は、洗い場２１０にいる使用者の頭上から水を吐水することができる。例えば、使用者は、給水量調整操作部５１１を一方へ回転させることでシャワーヘッド３３０から水を吐水させることができ、給水量調整操作部５１１を他方へ回転させることでオーバーヘッドシャワー３９０から水を吐水させることができる。
【００３８】
本実施形態によれば、シャワーヘッド３３０を保持可能な管３１０が第１のリム１１１の上方に立設されているため、使用者は、洗い場２１０を広く使うことができる。そのため、使用者は、より広い空間においてシャワーを用いることで快適に身体を洗うことができる。また、使用者は、浴槽１１０に漬かりながらシャワーを使用することもできる。
【００３９】
図３は、本実施形態の管が手摺として使用される状態を説明する斜視模式図である。  
管３１０は、使用者が手で握ることができる太さＤ１（図２参照）を有する。管３１０を長手方向（延在方向）にみたときの断面形状は、例えば円形状や多角形状である。管３１０を長手方向にみたときの断面形状が円形状である場合には、管３１０の外径Ｄ１は、例えば約３０〜３２ミリメートル（ｍｍ）程度である。
【００４０】
図３（ａ）および図３（ｂ）に表したように、使用者は、腰掛部２５０に腰掛けた状態で管３１０を把持することができる。図３（ａ）および図３（ｂ）に表した状態では、使用者は、第１のシャワーフック３２０よりも上方の管３１０の部分を把持している。但し、これだけに限定されず、使用者は、第１のシャワーフック３２０よりも下方の管３１０の部分を把持することができる。
【００４１】
これによれば、使用者は、腰掛部２５０に腰掛けている状態から立ち上がる際に、管３１０を手摺として利用することができる。また、前述したように、管３１０は、第１のリム１１１の上方に上下方向に立設されている。そのため、使用者は、洗い場２１０と浴槽１１０との間を移動する際に、あるいは洗い場２１０や浴槽１１０内で座っている状態から立ち上がる際に、管３１０を手摺として利用することができる。このように、使用者は、様々なシーンにおいて管３１０を手摺として利用することができる。そのため、浴室１０内に複数の手摺を設ける必要がなく、浴室１０内が雑然とした感じになることを抑えることができたり、コスト低減を図ることができる。
【００４２】
次に、本実施形態の管３１０、第１のシャワーフック３２０、シャワーヘッド３３０、および第２のシャワーフック３４０について、図面を参照しつつさらに説明する。  
図４は、本実施形態にかかる浴室を斜め上方から眺めた斜視模式図である。  
また、図５および図６は、本実施形態にかかる浴室を表す断面模式図である。  
なお、図５および図６は、図４に表した切断面Ａ−Ａにおける断面模式図である。但し、シャワーヘッド３３０およびシャワーホース３３６は、断面模式図ではなく斜視模式図で表されている。説明の便宜上、図４〜図６に表した浴室１０では、第１の壁面４１０、第２の壁面４２０、および第３の壁面４３０を省略している。説明の便宜上、図４および図５に表した浴室１０では、シャワーヘッド３３０を省略している。説明の便宜上、図５および図６に表した浴室１０では、エプロン１５０を省略している。
【００４３】
図５および図６に表したように、本実施形態の管３１０は、中空部を内部に有する。つまり、管３１０は、中空管として形成されている。図６に表したように、管３１０の内部には、シャワーヘッド３３０に接続されたシャワーホース３３６が挿通されている。また、管３１０の内部には、オーバーヘッドシャワー３９０へ水を供給する図示しない給湯管が配管されてもよい。
【００４４】
図４および図５に表したように、管３１０の途中には、開口部３２１が設けられている。具体的には、開口部３２１は、第１のシャワーフック３２０の先端に設けられている。言い換えれば、開口部３２１は、管３１０が途中で横方向へ分岐された分岐部の先端に設けられている。但し、開口部３２１の設置形態は、これだけに限定されず、上下方向に延在している管３１０の部分の途中に設けられていてもよい。そして、後述するように、使用者は、シャワーヘッド３３０を第１のシャワーフック３２０から引き出し、シャワーホース３３６を開口部３２１から繰り出すことができる。
【００４５】
これによれば、シャワーホース３３６が開口部３２１から管３１０の内部へ挿通されているため、使用者は、シャワーホース３３６を洗い場２１０に垂らすことなく管３１０の内部に収めることができる。そのため、浴室１０の見栄えをより良くすることができる。また、シャワーホース３３６から滴る水が浴槽１１０の中に落ちることを抑えることができる。そのため、使用者は、快適に浴槽１１０に漬かることができる。  
なお、管３１０の下方には、シャワーホース３３６から滴る水を受けて排水可能な図示しない構造が設けられている。
【００４６】
図６に表したように、シャワーヘッド３３０の下端部３３１は、シャワーヘッド３３０の外形の太さＤ３よりも小さい太さを有する。また、シャワーヘッド３３０の下端部３３１の外形の太さは、第１のシャワーフック３２０の開口部３２１の開口幅よりも小さい。そのため、使用者は、第１のシャワーフック３２０の先端に設けられた開口部３２１にシャワーヘッド３３０の下端部３３１を挿入することで、シャワーヘッド３３０を第１のシャワーフック３２０に装着し保持させることができる。
【００４７】
これによれば、第１のシャワーフック３２０および管３１０の内部にシャワーホース３３６を完全に隠すことができるため、浴室１０のデザイン性を向上させることができる。また、管３１０が途中で横方向へ分岐された分岐部の先端に開口部３２１が設けられた場合には、使用者は、シャワーヘッド３３０を第１のシャワーフック３２０に容易に装着することができる。また、使用者が手を掛けることができるような形状を分岐部が有する場合には、管３１０の表面を加工しなくとも使用者の手が掛かる部位を管３１０に形成することができる。
【００４８】
図７および図８は、本実施形態にかかる浴室を表す断面模式図である。  
また、図９は、シャワーホースが開口部から繰り出した状態を例示する斜視模式図である。  
なお、図７および図８は、図４に表した切断面Ａ−Ａにおける断面模式図である。但し、シャワーヘッド３３０およびシャワーホース３３６は、断面模式図ではなく斜視模式図で表されている。説明の便宜上、図７に表した浴室１０では、シャワーホース３３６の一部を省略している。説明の便宜上、図７および図８に表した浴室１０では、エプロン１５０を省略している。
【００４９】
図７および図８に表したように、第１のリム１１１の下方であってエプロン１５０の裏側には、水栓装置５２０が設けられている。図８に表したように、シャワーホース３３６の一端部（基端部）は、水栓装置５２０と接続されている。シャワーホース３３６の他端部は、シャワーヘッド３３０の下端部３３１と接続されている。そして、水栓装置５２０は、シャワーヘッド３３０に水を供給したり、シャワーホース３３６へ供給する水の給水量や温度を調整することができる。
【００５０】
図８に表したように、シャワーホース３３６は、水栓装置５２０と接続された一端部と、シャワーヘッド３３０と接続された他端部と、の間において余剰部分を有する。シャワーホース３３６の余剰部分は、エプロン１５０の裏側であって水栓装置５２０の下方に収納されている。つまり、本実施形態にかかる浴槽１１０では、シャワーホース３３６の余剰部分を収納する収納部１２０がエプロン１５０の裏側に形成されている。
【００５１】
これによれば、水栓装置５２０とシャワーヘッド３３０との間の距離をより短くし、シャワーホース３３６の長さをより短くすることができる。そのため、より早いうちにシャワーヘッド３３０から適温の湯を吐水させることができる。また、シャワーホース３３６をエプロン１５０の裏側に隠すことができるため、シャワーホース３３６が邪魔にならず、また浴室１０のデザイン性を向上させることができる。さらに、水栓装置５２０の点検者は、エプロン１５０を取り外すことで容易に水栓装置５２０の点検を行うことができる。
【００５２】
図９に表したように、シャワーホース３３６が余剰部分を有するため、使用者は、シャワーヘッド３３０を第１のシャワーフック３２０から引き出すことができる。すると、シャワーホース３３６は、第１のシャワーフック３２０の開口部３２１から繰り出される。そして、使用者は、第１のシャワーフック３２０から引き出したシャワーヘッド３３０を第２のシャワーフック３４０に装着し保持させることができる。
【００５３】
ここで、第２のシャワーフック３４０について、図面を参照しつつさらに説明する。  
図１０は、本実施形態の第２のシャワーフックを拡大して眺めた斜視模式図である。  
また、図１１は、本実施形態の第２のシャワーフックにシャワーヘッドが保持された状態を例示する斜視模式図である。
【００５４】
本実施形態の第２のシャワーフック３４０は、ハンドル３４１とホルダ３４３とを有し、開口部３２１の上方における管３１０に取り付けられている。図１１に表したように、ホルダ３４３は、シャワーヘッド３３０を保持することができる。図１０（ａ）に表した矢印Ａ１のように、使用者は、ハンドル３４１を回転させて緩めることで第２のシャワーフック３４０の角度や位置などを調整することができる。具体的には、図１０（ｂ）に表した矢印Ａ２のように、使用者は、管３１０の軸を中心軸として第２のシャワーフック３４０を左右方向に回転させることができる。あるいは、図１０（ｃ）に表した矢印Ａ３および矢印Ａ４のように、使用者は、管３１０の延在方向に沿って第２のシャワーフック３４０を上下方向に移動させることができる。そして、図１０（ｄ）に表した矢印Ａ５のように、使用者は、ハンドル３４１を回転させて締めることで第２のシャワーフック３４０の角度や位置などを固定することができる。
【００５５】
また、図１１に表した矢印Ａ６のように、使用者は、シャワーヘッド３３０をホルダ３４３に保持させたままで、第２のシャワーフック３４０の軸を中心軸としてホルダ３４３を前後方向に回転させることができる。
【００５６】
これによれば、使用者は、シャワーヘッド３３０を第１のシャワーフック３２０から引き出し第２のシャワーフック３４０に保持させることで、シャワーヘッド３３０を好みの位置に固定してシャワーを使用し快適に身体を洗うことができる。
【００５７】
図１２は、本実施形態にかかる浴室を斜め上方から眺めた斜視模式図である。  
図１２に表したように、本実施形態の浴槽１１０の第１のリム１１１の幅は、管３１０および水栓装置５２０が設置された部位から第１のリム１１１の長手方向あるいは延在方向の両側へ向けて漸減している。つまり、管３１０および水栓装置５２０が設置された第１のリム１１１の部位の長手方向あるいは延在方向の両側における第１のリム１１１の幅Ｄ１２、Ｄ１３は、管３１０および水栓装置５２０が設置された第１のリム１１１の部位の幅Ｄ１１よりも短い。
【００５８】
これによれば、浴槽１１０に出入りする第１のリム１１１の部位の幅（例えば幅Ｄ１２、Ｄ１３）は、管３１０および水栓装置５２０が設置された第１のリム１１１の部位の幅（例えば幅Ｄ１１）よりも短い。そのため、使用者は、浴槽１１０への出入りを楽に行うことができる。また、使用者は、管３１０を手摺として利用することで、浴槽１１０への出入りをさらに楽に行うことができる。
【００５９】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、管３１０、第１のシャワーフック３２０、および第２のシャワーフック３４０などが備える各要素の形状、寸法、材質、配置などや開口部３２１の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６０】
１０ 浴室、  １１０ 浴槽、  １１１ 第１のリム、  １１２ 第２のリム、  １１３ 第３のリム、  １２０ 収納部、  １５０ エプロン、  ２１０ 洗い場、  ２５０ 腰掛部、  ２６１ 第１の支柱、  ２６３ 第２の支柱、  ３１０ 管、  ３２０ 第１のシャワーフック、  ３２１ 開口部、  ３３０ シャワーヘッド、  ３３１ 下端部、  ３３６ シャワーホース、  ３４０ 第２のシャワーフック、  ３４１ ハンドル、  ３４３ ホルダ、  ３９０ オーバーヘッドシャワー、  ４１０ 第１の壁面、  ４２０ 第２の壁面、  ４３０ 第３の壁面、  ４４０ 天井、  ５１０ 操作部、  ５１１ 給水量調整操作部、  ５１３ 温度調整操作部、  ５２０ 水栓装置
【図１】
0005957958.tif 000002
【図２】
0005957958.tif 000003
【図３】
0005957958.tif 000004
【図４】
0005957958.tif 000005
【図５】
0005957958.tif 000006
【図６】
0005957958.tif 000007
【図７】
0005957958.tif 000008
【図８】
0005957958.tif 000009
【図９】
0005957958.tif 000010
【図１０】
0005957958.tif 000011
【図１１】
0005957958.tif 000012
【図１２】
0005957958.tif 000013